(57)【要約】【課題】広い作業スペースを占有することなく、しかも安全に、かつ簡単に大型木質パネルを立て起こすことにより、壁体の施工効率を向上させることができるパネル吊り込み方法を提供することを目的とする。【解決手段】大型収納室を備えた収納階Ａ１の壁体と他階Ａ２の壁体とを連続して設けることが可能な大きさの大型木質パネル１を、クレーン装置Ｋによって立て起こしてから建物Ａの所定の設置位置まで吊り込む方法であり、  横置きに搬入された大型木質パネル１の長辺部１ａに第１の吊り込み装置４を装着させるとともに、第２の吊り込み装置５を該パネル１の短辺部１ｂに装着させ、前記クレーン装置Ｋによって前記第１の吊り込み装置４を吊り上げて大型木質パネル１を所定の高さで保持した後、第２の吊り込み装置５を吊り上げることにより前記大型木質パネル１を９０度回転させて立て起こすことを特徴とする。【選択図】図２
2006144234.tif 000002
【特許請求の範囲】
【請求項１】
大型収納室を備えた収納階の壁体と他階の壁体とを連続して設けることが可能な大きさの大型木質パネルを、クレーン装置によって立て起こしてから建物の所定の設置位置まで吊り込むパネル吊り込み方法において、
前記クレーン装置に、先端部に親フックを備えた主巻ワイヤと先端部に子フックを備えた補巻ワイヤとを同時操作が可能となるように設け、かつ、前記主巻ワイヤに前記親フックを介して第１の吊り込み装置を取り付けるとともに、前記補巻ワイヤに前記子フックを介して第２の吊り込み装置を取り付けて、
横置きの状態で搬入された大型木質パネルの長辺部に前記第１の吊り込み装置を装着させるとともに、前記第２の吊り込み装置を該パネルの短辺部に装着させ、前記クレーン装置によって前記主巻ワイヤを巻き上げて大型木質パネルを所定の高さまで吊り上げて保持した後、前記補巻ワイヤを巻き上げることにより前記大型木質パネルを９０度回転させて立て起こすことを特徴とするパネル吊り込み方法。
【請求項２】
請求項１に記載のパネル吊り込み方法において、
前記第１の吊り込み装置および第２の吊り込み装置は、前記親フックもしくは子フックに掛けられる滑車部材と、この滑車部材に掛けられる滑車用ワイヤと、この滑車用ワイヤの両端に架け渡すように取り付けられるストッパー用ワイヤと、前記滑車用ワイヤの一端に取り付けられる長尺ワイヤと、前記滑車用ワイヤの他端に取り付けられる短尺ワイヤと、これら長尺ワイヤおよび短尺ワイヤのそれぞれの下端部に、吊り治具用ワイヤを介して設けられる吊り治具とから構成されていることを特徴とするパネル吊り込み方法。
【請求項３】
請求項２に記載のパネル吊り込み方法において、
前記第１の吊り込み装置の長尺ワイヤの下端部に設けられる吊り治具は、横置きの状態から９０度回転させて立て起こされた際の大型木質パネルの長辺部の地面側に位置するように取り付けられ、前記短尺ワイヤの下端部に設けられる吊り治具は、前記大型木質パネルの長辺部の天側に位置するように取り付けられており、
前記第２の吊り込み装置の長尺ワイヤの下端部に設けられる吊り治具は、横置きの状態に搬入された大型木質パネルの短辺部の地面側に位置するように取り付けられ、前記短尺ワイヤの下端部に設けられる吊り治具は、前記大型木質パネルの短辺部の天側に位置するように取り付けられていることを特徴とするパネル吊り込み方法。
【請求項４】
請求項２または３に記載のパネル吊り込み方法において、
前記第１および第２の吊り込み装置に取り付けられる各長尺ワイヤおよび短尺ワイヤの下端部近傍に、これら長尺ワイヤおよび短尺ワイヤと、前記大型木質パネルとの接触を防止する緩衝材が取り付けられていることを特徴とするパネル吊り込み方法。
【請求項５】
請求項１〜４のいずれか一項に記載のパネル吊り込み方法において、
前記大型木質パネルは、搬送車両の荷台に横置きの状態で積載されており、建物の所定の設置位置まで吊り込む際に、この大型木質パネルを前記搬送車両の荷台から直接吊り上げることを特徴とするパネル吊り込み方法。
【発明の詳細な説明】
【技術分野】
【０００１】
本発明は、大型収納室を備えた収納階の壁体と他階の壁体とを連続して設けることが可能な大きさの大型木質パネルを、クレーン装置によって立て起こしてから建物の所定の設置位置まで吊り込むパネル吊り込み方法に関する。
【０００２】
近年、家族構成や生活パターンの変化とともに家具その他の多くの物品が揃えられ、また、その物品の使用形態も季節等に応じて多様化していることなどから、これらの物品を建物内に収納しておくための大きな収納空間の設置が強く望まれていた。
【０００３】
このような点を考慮した建物として、上階と下階との間に所定の天井高に設定された大型収納室を備えた収納階を配置するとともに、この収納階に至る階段を設け、該階段の踊場に面して前記大型収納室の出入り口を設けるという技術が知られている（例えば、特許文献１参照）。
【０００４】
一方、このような構造の建物全体を木質パネルにて構築して前記収納階を設けるような場合には、前記収納階と他階とを合わせた大きさに形成されるとともに、予め外装材が取り付けられた大型木質パネルを用いる。これによって、前記収納階と他階とを連続して設けることができ、建物を効率良く構築することが可能となる。
【０００５】
しかしながら、このような大型木質パネルは、他階および収納階部分の高さを備えたものであるため、搬送する場合には、縦置きの状態では搬送車両の高さ制限等により、搬送することができなかった。
このため、大型木質パネルを工場から現場へと搬送する際には、搬送車両の高さ制限上、横置きあるいは平積みの状態で輸送する手段がとられている。
【特許文献１】特開平０６−３２３００９号公報
【発明の開示】
【発明が解決しようとする課題】
【０００６】
ところで、前記大型木質パネルを現場にて住宅の所定箇所に設置する場合に、上述のような横置きの状態のパネルを立て起こすには、まず、搬送車両の荷台上の大型木質パネルを横置きのまま吊り上げ、そして、この大型木質パネルを立て起こすことが可能な広い場所に一旦寝かせ、その後、パネルの長辺側に取り付けていた吊り治具を短辺側に付け替えてから、再度クレーンで吊り上げて縦向きに立て起こす方法が行われていた。
【０００７】
ところが、このような立て起こし方法の場合、安全性に留意しながら作業を行うことは言うまでもなく、その上、現場で広い場所を占有して行わなければならないことや、パネルを立て起こすための工程自体が多いことから現場での作業に時間がかかってしまうため、作業性が良くない場合があった。
【０００８】
また、平積みの状態の大型木質パネルにおいては、その立て起こし作業は容易であるが、その反面、パネルの幅を搬送車両の荷台の幅に合わせなければならないことから、横置きにした状態の大型木質パネルの幅よりも狭くなってしまうので、壁体の施工効率を向上させることが難しい場合があった。
【０００９】
本発明の課題は、広い作業スペースを占有することなく、しかも安全に、かつ簡単に大型木質パネルを立て起こすことにより、壁体の施工効率を向上させることができるパネル吊り込み方法を提供することを目的とする。
【課題を解決するための手段】
【００１０】
請求項１に記載の発明は、例えば図１乃至図４に示すように、大型収納室を備えた収納階Ａ１の壁体と他階Ａ２の壁体とを連続して設けることが可能な大きさの大型木質パネル１を、クレーン装置Ｋによって立て起こしてから建物Ａの所定の設置位置まで吊り込むパネル吊り込み方法において、
前記クレーン装置Ｋに、先端部に親フック２ａを備えた主巻ワイヤ２と先端部に子フック３ａを備えた補巻ワイヤ３とを同時操作が可能となるように設け、かつ、前記主巻ワイヤ２に前記親フック２ａを介して第１の吊り込み装置４を取り付けるとともに、前記補巻ワイヤ３に前記子フック３ａを介して第２の吊り込み装置５を取り付けて、
横置きの状態で搬入された大型木質パネル１の長辺部１ａに前記第１の吊り込み装置４を装着させるとともに、前記第２の吊り込み装置５を該パネル１の短辺部１ｂに装着させ、前記クレーン装置Ｋによって前記主巻ワイヤ２を巻き上げて大型木質パネル１を所定の高さまで吊り上げて保持した後、前記補巻ワイヤ３を巻き上げることにより前記大型木質パネル１を９０度回転させて立て起こすことを特徴とする。
【００１１】
請求項１に記載の発明によれば、前記クレーン装置Ｋに、先端部に親フック２ａを備えた主巻ワイヤ２と先端部に子フック３ａを備えた補巻ワイヤ３とを同時操作が可能となるように設け、かつ、前記主巻ワイヤ２に前記親フック２ａを介して第１の吊り込み装置４を取り付けるとともに、前記補巻ワイヤ３に前記子フック３ａを介して第２の吊り込み装置５を取り付けて、
横置きの状態で搬入された大型木質パネル１の長辺部１ａに前記第１の吊り込み装置４を装着させるとともに、前記第２の吊り込み装置５を該パネル１の短辺部１ｂに装着させ、前記クレーン装置Ｋによって前記主巻ワイヤ２を巻き上げて大型木質パネル１を所定の高さまで吊り上げて保持した後、前記補巻ワイヤ３を巻き上げることにより前記大型木質パネル１を９０度回転させて立て起こすことによって、広い作業スペースを占有することなく、しかも安全に、かつ簡単に大型木質パネル１を立て起こすことが可能となり、これによって、壁体の施工効率を向上させることができる。
すなわち、前記第１の吊り込み装置４を横置きの状態で搬入された前記大型木質パネル１の長辺部１ａに装着させ、前記第２の吊り込み装置５を前記大型木質パネル１の短辺部１ｂに装着させた後、前記クレーン装置Ｋにより前記第１の吊り込み装置４が取り付けられた主巻ワイヤ２によって前記大型木質パネル１を所定の高さに保持したまま、前記第２の吊り込み装置５が取り付けられた補巻ワイヤ３を巻き上げることによって、前記第２の吊り込み装置５を前記第１の吊り込み装置４よりも高い位置まで巻き上げて、前記大型木質パネル１を徐々に回転させることができるので、大型木質パネル１のような重量物でも簡単に立て起こすことができる。また、このように前記大型木質パネル１を所定の高さに保持したまま、空中にて徐々に回転させることができるので、広い作業スペースを占有する必要もなく、しかも安全に立て起こし作業を行うことができる。そして、以上のような作業によって立て起こした大型木質パネル１を、建物Ａの所定の設置位置に吊り込むようにするので、建物Ａの、特に壁体の施工効率をも向上させることが可能となる。
【００１２】
請求項２に記載の発明は、例えば図５に示すように、請求項１に記載のパネル吊り込み方法において、
前記第１の吊り込み装置４および第２の吊り込み装置５は、前記親フック２ａもしくは子フック３ａに掛けられる滑車部材６と、この滑車部材６に掛けられる滑車用ワイヤ６ａと、この滑車用ワイヤ６ａの両端に架け渡すように取り付けられるストッパー用ワイヤ７と、前記滑車用ワイヤ６ａの一端に取り付けられる長尺ワイヤ８と、前記滑車用ワイヤ６ａの他端に取り付けられる短尺ワイヤ９と、これら長尺ワイヤ８および短尺ワイヤ９のそれぞれの下端部に、吊り治具用ワイヤ１０を介して設けられる吊り治具１１とから構成されていることを特徴とする。
【００１３】
請求項２に記載の発明によれば、前記第１の吊り込み装置４および第２の吊り込み装置５は、前記親フック２ａもしくは子フック３ａに掛けられる滑車部材６と、この滑車部材６に掛けられる滑車用ワイヤ６ａと、この滑車用ワイヤ６ａの両端に架け渡すように取り付けられるストッパー用ワイヤ７と、前記滑車用ワイヤ６ａの一端に取り付けられる長尺ワイヤ８と、前記滑車用ワイヤ６ａの他端に取り付けられる短尺ワイヤ９と、これら長尺ワイヤ８および短尺ワイヤ９のそれぞれの下端部に、吊り治具用ワイヤ１０を介して設けられる吊り治具１１とから構成されていることから、前記吊り治具１１により吊り込まれるべき大型木質パネル１を、安全に、かつ簡単に立て起こすことが可能となる。
すなわち、前記滑車部材６を支点として、前記滑車用ワイヤ６ａが該前記滑車部材６上を円滑に移動するようになっており、大型木質パネル１が立て起こされる際には、前記滑車用ワイヤ６ａの下方に設けられている各ワイヤおよび吊り治具１１、さらには、これら吊り治具１１によって吊り込まれる前記大型木質パネル１を円滑に回転させることができるので、安全に、かつ簡単に立て起こし作業を行うことができる。
また、前記滑車用ワイヤ６ａの両端に架け渡すように、前記ストッパー用ワイヤ７が取り付けられていることから、前記滑車用ワイヤ６ａの前記滑車部材６上における移動範囲が、前記ストッパー用ワイヤ７の一端から他端までの範囲に限定されるとともに、前記滑車用ワイヤ６ａの下方に設けられている各ワイヤおよび吊り治具１１、さらには、これら吊り治具１１によって吊り込まれる大型木質パネル１においても、前記ストッパー用ワイヤ７によって限定された範囲内でのみ回転されるようになるので、範囲を超えて回転し過ぎてしまうようなこともなく、確実に前記大型木質パネル１を立て起こすことが可能となる。
さらに、前記大型木質パネル１が立て起こされる際には前記滑車部材６上を前記滑車用ワイヤ６ａが移動することから、この滑車用ワイヤ６ａの下方に設けられた前記長尺ワイヤ８および短尺ワイヤ９も前記滑車用ワイヤ６ａに伴って移動するので、前記長尺ワイヤ８が下方に向かって移動すると、前記短尺ワイヤ９は上方に向かって移動して、前記大型木質パネル１を一定の角度に傾けることができる。そして、このように大型木質パネル１を一定の角度に傾けることができることから、より円滑に前記大型木質パネル１を回転させることができるとともに、簡単に立て起こすことができる。
【００１４】
請求項３に記載の発明は、例えば図２乃至図４に示すように、請求項２に記載のパネル吊り込み方法において、
前記第１の吊り込み装置４の長尺ワイヤ８の下端部に設けられる吊り治具１１は、横置きの状態から９０度回転させて立て起こされた際の大型木質パネル１の長辺部１ａの地面側に位置するように取り付けられ、前記短尺ワイヤ９の下端部に設けられる吊り治具１１は、前記大型木質パネル１の長辺部１ａの天側に位置するように取り付けられており、
前記第２の吊り込み装置５の長尺ワイヤ８の下端部に設けられる吊り治具１１は、横置きの状態に搬入された大型木質パネル１の短辺部１ｂの地面側に位置するように取り付けられ、前記短尺ワイヤ９の下端部に設けられる吊り治具１１は、前記大型木質パネル１の短辺部１ｂの天側に位置するように取り付けられていることを特徴とする。
【００１５】
請求項３に記載の発明によれば、前記第１の吊り込み装置４の長尺ワイヤ８の下端部に設けられる吊り治具１１は、横置きの状態から９０度回転させて立て起こされた際の大型木質パネル１の長辺部１ａの地面側に位置するように取り付けられ、前記短尺ワイヤ９の下端部に設けられる吊り治具１１は、前記大型木質パネル１の長辺部１ａの天側に位置するように取り付けられており、
前記第２の吊り込み装置５の長尺ワイヤ８の下端部に設けられる吊り治具１１は、横置きの状態に搬入された大型木質パネル１の短辺部１ｂの地面側に位置するように取り付けられ、前記短尺ワイヤ９の下端部に設けられる吊り治具１１は、前記大型木質パネル１の短辺部１ｂの天側に位置するように取り付けられていることから、前記大型木質パネル１の回転方向を決めることができ、この回転方向にしたがって安全に、かつ簡単に大型木質パネル１を９０度回転させて立て起こすことができる。
すなわち、前記第１および第２の吊り込み装置４、５を用いて大型木質パネル１を９０度回転させて立て起こす際に、前記第１の吊り込み装置４の長尺ワイヤ８が下方に向かって移動すると、この第１の吊り込み装置４の短尺ワイヤ９は上方に向かって移動して、前記大型木質パネル１の長辺部１ａが斜めに傾いた状態となるとともに、前記第２の吊り込み装置５の長尺ワイヤ８が下方に向かって移動すると、この第２の吊り込み装置５の短尺ワイヤ９が上方に向かって移動して、前記大型木質パネル１の短辺部１ｂが斜めに傾いた状態となることから、これら長尺ワイヤ８の下方に設けられる吊り治具１１および短尺ワイヤ９の下方に設けられる吊り治具１１の取り付け位置によって前記大型木質パネル１の回転方向が決定されるので、この回転方向にしたがって安全に、かつ簡単に大型木質パネル１を９０度回転させて立て起こすことができる。
【００１６】
請求項４に記載の発明は、例えば図６に示すように、請求項２また３に記載のパネル吊り込み方法において、
前記第１および第２の吊り込み装置４、５に取り付けられる各長尺ワイヤ８および短尺ワイヤ９の下端部近傍に、これら長尺ワイヤ８および短尺ワイヤ９と、前記大型木質パネル１との接触を防止する緩衝材１２が取り付けられていることを特徴とする。
【００１７】
請求項４に記載の発明によれば、前記第１および第２の吊り込み装置４、５に取り付けられる各長尺ワイヤ８および短尺ワイヤ９の下端部近傍に、これら長尺ワイヤ８および短尺ワイヤ９と、前記大型木質パネル１との接触を防止する緩衝材１２が取り付けられていることから、前記大型木質パネル１を立て起こす前においては、前記緩衝材１２によって、張力がかかっていない第２の吊り込み装置５と大型木質パネル１との接触を防止し、立て起こした後においては、前記緩衝材１２によって、張力がかかっていない第１の吊り込み装置４と大型木質パネル１との接触を防止して、この大型木質パネル１の表面を傷付けることなく吊り込み作業を行うことができるので、傷の補修等の作業をする必要がなく、延いては、壁体の施工効率を向上させることが可能となる。
【００１８】
請求項５に記載の発明は、例えば図１および図２に示すように、請求項１〜４のいずれか一項に記載のパネル吊り込み方法において、
前記大型木質パネル１は、搬送車両Ｂの荷台に横置きの状態で積載されており、建物Ａの所定の設置位置まで吊り込む際に、この大型木質パネル１を前記搬送車両Ｂの荷台から直接吊り上げることを特徴とする。
【００１９】
請求項５に記載の発明によれば、前記大型木質パネル１は、搬送車両Ｂの荷台に横置きの状態で積載されており、建物Ａの所定の設置位置まで吊り込む際に、この大型木質パネル１を前記搬送車両Ｂの荷台から直接吊り上げることから、従来とは異なり、広い作業スペースを占有することなく、しかも、前記大型木質パネル１を立て起こすための工程数を減らすことができるので、建物Ａの、特に壁体の施工効率を向上させることが可能となる。
【発明の効果】
【００２０】
本発明によれば、横置きの状態で搬入された大型木質パネルの長辺部に、親フックを介して主巻ワイヤに取り付けた第１の吊り込み装置を装着させるとともに、子フックを介して補巻ワイヤに取り付けた第２の吊り込み装置を該パネルの短辺部に装着させ、クレーン装置により主巻ワイヤを巻き上げて前記大型パネルを所定の高さに吊り上げて空中にて保持した後、補巻ワイヤを巻き上げることによって、前記第２の吊り込み装置を前記第１の吊り込み装置よりも高い位置まで巻き上げて、大型木質パネルを徐々に回転させることができるので、広い作業スペースを占有することなく、しかも安全に、かつ簡単に大型木質パネルを立て起こすことが可能となり、これによって、壁体の施工効率を向上させることができる。
【発明を実施するための最良の形態】
【００２１】
以下、図面を参照して本発明のパネル吊り込み方法の実施の形態を説明する。
本実施の形態のパネル吊り込み方法は、大型収納室を備えた収納階Ａ１の壁体と他階Ａ２の壁体とを連続して設けることが可能な大きさの大型木質パネル１を、クレーン装置Ｋによって立て起こしてから建物Ａの所定の設置位置まで吊り込む方法である。
【００２２】
なお、本実施の形態のパネル吊り込み方法によって吊り込まれる大型木質パネル１を始め、種々のパネルを用いて構成される建物Ａは、壁や床、屋根といった建物Ａの構成要素を予め工場にてパネル化しておき、施工現場でこれらのパネルを組み立てて構築する、所謂パネル工法で構築される。
また、このパネルとは、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填される。
さらに、本実施の形態の大型木質パネル１は、工場にてパネル化する段階で、その表面に外装材１ｃが設けられており、現場での建物の施工性を格段に向上させることができるものである。
【００２３】
まず、本実施の形態のパネル吊り込み方法を説明する前に、このパネル吊り込み方法に使用されるクレーン装置Ｋと、第１および第２の吊り込み装置４、５について説明する。
【００２４】
図２乃至図４に示すように、クレーン装置Ｋは、先端部に親フック２ａを備えた主巻ワイヤ２と先端部に子フック３ａを備えた補巻ワイヤ３とが同時操作可能となるように設けられ、かつ、前記主巻ワイヤ２に前記親フック２ａを介して第１の吊り込み装置４が取り付けられるとともに、前記補巻ワイヤ３に前記子フック３ａを介して第２の吊り込み装置５が取り付けられている。
【００２５】
前記主巻ワイヤ２は、前記クレーン装置Ｋを構成する伸縮・旋回・起伏等の動作が自在なブームＫ１の先端に、巻上げおよび繰り出し動作が自在となるように設けられている。
この主巻ワイヤ２の先端部には、前記親フック２ａが備えられており、この親フック２ａを介して第１の吊り込み装置４が取り付けられ、この第１の吊り込み装置４によって前記大型木質パネル１の長辺部１ａが吊り上げられるようになっている。
【００２６】
前記補巻ワイヤ３は、前記クレーン装置Ｋを構成する伸縮・旋回・起伏等の動作が自在なブームＫ１の先端に、巻上げおよび繰り出し動作が自在となるように設けられているとともに、前記主巻ワイヤ２に隣接するように設けられている。
この補巻ワイヤ３の先端部には、前記子フック３ａが備えられており、この子フック３ａを介して第２の吊り込み装置５が取り付けられ、この第２の吊り込み装置５によって前記大型木質パネル１の短辺部１ｂが吊り上げられるようになっている。
【００２７】
なお、前記クレーン装置Ｋは、図２乃至図４に示すような複数の車輪Ｋ２によって移動可能な移動式クレーンが用いられ、一つの運転席で走行とクレーン操作が可能となり、比較的狭い場所への進入および作業を行うこともできるので望ましい。
また、本実施の形態において用いられるクレーン装置Ｋは、上述のように、主巻ワイヤ２と補巻ワイヤ３とが同時操作可能となるように設けられているものであれば、本実施の形態のパネル吊り込み方法を円滑に実施することが可能となる。一方、前記主巻ワイヤ２と補巻ワイヤ３とが同時操作できないクレーン装置Ｋであった場合、前記主巻ワイヤ２でパネル１を吊ったまま、補巻ワイヤ３を巻き上げるというような動作を行うことができず、本実施の形態のパネル吊り込み方法を実施することが難しい場合がある。
さらに、前記主巻ワイヤ２と補巻ワイヤ３との間の距離が遠い場合、本実施の形態のパネル吊り込み方法によってパネル１を立て起こす際に、前記主巻ワイヤ２と補巻ワイヤ３との両方によって吊り上げることや、回転の前後で重心位置が変化する等、困難な場合があり、前記主巻ワイヤ２と補巻ワイヤ３とが近接して設けられていることによって、本実施の形態のパネル吊り込み方法を円滑に実施することが可能となる。
【００２８】
前記第１および第２の吊り込み装置４、５は、図５に示すように、前記親フック２ａもしくは子フック３ａに掛けられる滑車部材６と、この滑車部材６に掛けられる滑車用ワイヤ６ａと、この滑車用ワイヤ６ａの両端に架け渡すように取り付けられるストッパー用ワイヤ７と、前記滑車用ワイヤ６ａの一端に取り付けられる長尺ワイヤ８と、前記滑車用ワイヤ６ａの他端に取り付けられる短尺ワイヤ９と、これら長尺ワイヤ８および短尺ワイヤ９のそれぞれの下端部に、吊り治具用ワイヤ１０を介して設けられる吊り治具１１とから構成されている。
【００２９】
前記滑車部材６は、この滑車部材６を軸として各ワイヤ６ａ、８、９、１０を介して下端部には吊り治具１１が設けられている構成となっているので、前記大型木質パネル１を支え得る耐荷重性が備えられている。
【００３０】
前記吊り治具１１は、図６に示すように、吊り治具本体１１ａと、この吊り治具本体１１ａの上部に、回動部１１ｂを介して回動自在に連結されているレバー部１１ｃと、前記吊り治具１１の下端部に前記レバー部１１ｃに向かって突出する吊りピン１１ｄと、この吊りピン１１ｄと対向する前記レバー部１１ｃの下端部の位置に設けられた押さえ部１１ｅと、これら吊り治具１１と前記吊り治具用ワイヤ１０とを接続するワイヤ接続部１１ｆとから構成されている。
【００３１】
このような吊り治具１１に前記大型木質パネル１を取り付けるには、まず、大型木質パネル１の長辺側および短辺側に、前記吊りピン１１ｄを挿入可能な吊り穴（図示せず）を設けておき、次に、前記回動部１１ｂを軸に前記レバー部１１ｃを回して、このレバー部１１ｃが前記吊り治具本体１１ａに対して９０度の角度になるように開いておく。そして、前記吊り穴に対して前記吊りピン１１ｄを挿入するとともに、前記レバー部１１ｃを元に戻して前記大型木質パネル１を挟み込むようにする。
なお、この時、前記押さえ部１１ｅの押さえが外れないように、前記回動部１１ｂが動かないように固定する固定ボルト１１ｇを設けておくことによって、パネル吊り込み作業の安全性の向上を図ることができる。
【００３２】
前記各ワイヤ６ａ、７、８、９、１０どうしを連結するために、略Ｕ字形の本体１３ａとその本体の開口両先端頭部間に差し渡す挿通ピン１３ｂより構成されるシャックル部材１３が設けられている。
【００３３】
また、前記第１および第２の吊り込み装置４、５に取り付けられる各長尺ワイヤ８および短尺ワイヤ９の下端部近傍に、これら長尺ワイヤ８および短尺ワイヤ９と、前記大型木質パネル１との接触を防止する緩衝材１２が取り付けられている。
【００３４】
前記緩衝材１２は、図７に示すように、一部にワイヤ挿入部１２ａを開放したリング状の外周枠１２ｂと、この外周枠１２ｂの内側に設けられたリング状の内周枠１２ｃと、これら外周枠１２ｂおよび内周枠１２ｃの中心部にあって内側に前記長尺ワイヤ８および短尺ワイヤ９を嵌着するワイヤ嵌着部１２ｄと、前記ワイヤ挿入部１２ａから前記ワイヤ嵌着部１２ｄに至る案内リブ１２ｅと、前記外周枠１２ｂと内周枠１２ｃ、ワイヤ嵌着部１２ｄとを連結して補強する繋リブ１２ｆとから構成されている。
【００３５】
このような緩衝材１２を前記長尺ワイヤ８および短尺ワイヤ９に取り付ける際は、前記案内リブ１２ｅにワイヤ８、９を合わせ、前記ワイヤ挿入部１２ａにワイヤ８、９を挿入し、前記ワイヤ嵌着部１２ｄに嵌めこむようにする。
なお、この時、一度嵌め込まれたワイヤ８、９が外れないように、前記ワイヤ嵌着部１２ｄ近傍に一対の抜け防止片１２ｇを設けておくことが好ましい。さらには、これら抜け防止片１２ｇを接続バンド（図示せず）等で結束して、前記緩衝材１２とワイヤ８、９とを強固に嵌め合わせると望ましい。
【００３６】
このような緩衝材１２によれば、張力がかかっていない第１もしくは第２の吊り込み装置５のワイヤ８、９と大型木質パネル１との接触を防止して、この大型木質パネル１の表面を傷付けることなく吊り込み作業を行うことができるので、傷の補修等の作業をする必要がなく、延いては、壁体の施工効率を向上させることが可能となる。
【００３７】
以上のような構成の第１および第２の吊り込み装置よれば、前記滑車部材６を支点として、前記滑車用ワイヤ６ａが該前記滑車部材６上を円滑に移動するようになっており、大型木質パネル１が立て起こされる際には、前記滑車用ワイヤ６ａの下方に設けられている各ワイヤおよび吊り治具１１、さらには、これら吊り治具１１によって吊り込まれる前記大型木質パネル１を円滑に回転させることができるので、安全に、かつ簡単に立て起こし作業を行うことができる。
また、前記滑車用ワイヤ６ａの両端に架け渡すように、前記ストッパー用ワイヤ７が取り付けられていることから、前記滑車用ワイヤ６ａの前記滑車部材６上における移動範囲が、前記ストッパー用ワイヤ７の一端から他端までの範囲に限定されるとともに、前記滑車用ワイヤ６ａの下方に設けられている各ワイヤおよび吊り治具１１、さらには、これら吊り治具１１によって吊り込まれる大型木質パネル１においても、前記ストッパー用ワイヤ７によって限定された範囲内でのみ回転されるようになるので、範囲を超えて回転し過ぎてしまうようなこともなく、確実に前記大型木質パネル１を立て起こすことが可能となる。
さらに、前記大型木質パネル１が立て起こされる際には前記滑車部材６上を前記滑車用ワイヤ６ａが移動することから、この滑車用ワイヤ６ａの下方に設けられた前記長尺ワイヤ８および短尺ワイヤ９も前記滑車用ワイヤ６ａに伴って移動するので、前記長尺ワイヤ８が下方に向かって移動すると、前記短尺ワイヤ９は上方に向かって移動して、前記大型木質パネル１を一定の角度に傾けることができる。そして、このように大型木質パネル１を一定の角度に傾けることができることから、より円滑に前記大型木質パネル１を回転させることができるとともに、簡単に立て起こすことができる。
【００３８】
以上のような構成のクレーン装置Ｋと、第１および第２の吊り込み装置４、５とを用いて、前記大型木質パネル１を建物Ａの所定の設置位置に吊り込む、本実施の形態のパネル吊り込み方法を説明する。
【００３９】
本実施の形態のパネル吊り込み方法は、図１乃至図４に示すように、大型収納室を備えた収納階Ａ１の壁体と他階Ａ２の壁体とを連続して設けることが可能な大きさの大型木質パネル１を、クレーン装置Ｋによって立て起こしてから建物Ａの所定の設置位置まで吊り込む方法であり、
前記クレーン装置Ｋに、先端部に親フック２ａを備えた主巻ワイヤ２と先端部に子フック３ａを備えた補巻ワイヤ３とを同時操作が可能となるように設け、かつ、前記主巻ワイヤ２に前記親フック２ａを介して第１の吊り込み装置４を取り付けるとともに、前記補巻ワイヤ３に前記子フック３ａを介して第２の吊り込み装置５を取り付けて、
横置きの状態で搬入された大型木質パネル１の長辺部１ａに前記第１の吊り込み装置４を装着させるとともに、前記第２の吊り込み装置５を該パネル１の短辺部１ｂに装着させ、前記クレーン装置Ｋによって前記主巻ワイヤ２を巻き上げて大型木質パネル１を所定の高さまで吊り上げて保持した後、前記補巻ワイヤ３を巻き上げることにより前記大型木質パネル１を９０度回転させて立て起こすようにする。
【００４０】
また、このようなパネル吊り込み方法によって吊り込まれる大型木質パネル１は、図２に示すように、搬送車両Ｂの荷台に横置きの状態で積載されており、建物Ａの所定の設置位置まで吊り込む際に、この大型木質パネル１を前記搬送車両Ｂの荷台から直接吊り上げるようにする。
【００４１】
これによって、従来とは異なり、広い作業スペースを占有することなく、しかも、前記大型木質パネル１を立て起こすための工程数を減らすことができるので、建物Ａの、特に壁体の施工効率を向上させることが可能となる。
【００４２】
このように搬入された大型木質パネル１を前記クレーン装置Ｋによって吊り上げるには、図２および図４に示すように、まず、前記第１の吊り込み装置４の長尺ワイヤ８の下端部に設けられる吊り治具１１を、横置きの状態から９０度回転させて立て起こされた際の大型木質パネル１の長辺部１ａの地面側に位置するように取り付け、前記短尺ワイヤ９の下端部に設けられる吊り治具１１を、前記大型木質パネル１の長辺部１ａの天側に位置するように取り付けるようにする。
さらに、前記第２の吊り込み装置５の長尺ワイヤ８の下端部に設けられる吊り治具１１を、横置きの状態に搬入された大型木質パネル１の短辺部１ｂの地面側に位置するように取り付け、前記短尺ワイヤ９の下端部に設けられる吊り治具１１を、前記大型木質パネル１の短辺部１ｂの天側に位置するように取り付けるようにする。
【００４３】
これによって、前記大型木質パネル１の回転方向を決めることができ、この回転方向にしたがって安全に、かつ簡単に大型木質パネル１を９０度回転させて立て起こすことができるようになる。
すなわち、前記第１および第２の吊り込み装置４、５を用いて大型木質パネル１を９０度回転させて立て起こす際に、前記第１の吊り込み装置４の長尺ワイヤ８が下方に向かって移動すると、この第１の吊り込み装置４の短尺ワイヤ９は上方に向かって移動して、前記大型木質パネル１の長辺部１ａが斜めに傾いた状態となるとともに、前記第２の吊り込み装置５の長尺ワイヤ８が下方に向かって移動すると、この第２の吊り込み装置５の短尺ワイヤ９が上方に向かって移動して、前記大型木質パネル１の短辺部１ｂが斜めに傾いた状態となることから、これら長尺ワイヤ８の下方に設けられる吊り治具１１および短尺ワイヤ９の下方に設けられる吊り治具１１の取り付け位置によって前記大型木質パネル１の回転方向が決定されるので、この回転方向にしたがって安全に、かつ簡単に大型木質パネル１を９０度回転させて立て起こすことができる。
【００４４】
なお、前記クレーン装置Ｋによって前記大型木質パネル１等の重量物を吊り上げる際には、前記クレーン装置Ｋの前後左右４箇所に設けられたアウトリガＫ３を張り出すようにして、このクレーン装置Ｋの転倒を防止する。
【００４５】
次に、図２に示すように、前記クレーン装置Ｋの主巻ワイヤ２を巻き上げて、横置きの状態の大型木質パネル１を所定の高さまで吊り上げ、一旦その状態で保持する。
ここで、所定の高さとは、前記大型木質パネル１を立て起こす際に、この大型木質パネル１が地面に当たらない高さであるとともに、周囲の作業員や近隣住宅に対する安全性に留意した高さであることは言うまでもない。
【００４６】
次に、前記大型木質パネル１を所定の高さで保持した後、前記補巻ワイヤ３をクレーン装置Ｋによって巻き上げるようにする。
【００４７】
このように補巻ワイヤ３を巻き上げることにより、図３に示すように、前記大型木質パネル１が回転していく。この時、上述したように、第１および第２の吊り込み装置４、５をそれぞれ所定の位置に取り付けることによって、前記大型木質パネル１の回転方向が決まるので、この回転方向にしたがって安全に、かつ簡単に大型木質パネル１を９０度回転させて立て起こすことができる。
さらに、図５に示すように、前記第１の吊り込み装置の一部にガイドロープ１４を取り付けておき、図３に示すように、このガイドロープ１４を作業員が持ち、大型木質パネルの揺れを防止するようにする。これによって、さらに安全に大型木質パネルを立て起こすことが可能となる。
【００４８】
そして、前記大型木質パネル１を９０度回転させた時点で、前記補巻ワイヤ３の巻き上げを止めて、この大型木質パネル１の立て起こし作業が完了する。
【００４９】
なお、立て起こし作業においては、前述のように、図７に示す緩衝材１２が各長尺ワイヤ８および短尺ワイヤ９の下端部に取り付けられているので、張力のかかっていない状態の各ワイヤ８、９と大型木質パネル１との接触を防止している。
【００５０】
次に、立て起こした大型木質パネル１を、縦向きの状態のまま、建物Ａの所定の設置位置まで移動させ、その後、この大型木質パネル１の設置作業を行い、図１に示すように、建物Ａの施工を進めていく。
【００５１】
以上のようなパネル吊り込み方法によれば、前記第１の吊り込み装置４を横置きの状態で搬入された前記大型木質パネル１の長辺部１ａに装着させ、前記第２の吊り込み装置５を前記大型木質パネル１の短辺部１ｂに装着させた後、前記クレーン装置Ｋにより前記第１の吊り込み装置４が取り付けられた主巻ワイヤ２によって前記大型木質パネル１を所定の高さに保持したまま、前記第２の吊り込み装置５が取り付けられた補巻ワイヤ３を巻き上げることによって、前記第２の吊り込み装置５を前記第１の吊り込み装置４よりも高い位置まで巻き上げて、前記大型木質パネル１を徐々に回転させることができるので、大型木質パネル１のような重量物でも簡単に立て起こすことができる。また、このように前記大型木質パネル１を所定の高さに保持したまま、空中にて徐々に回転させることができるので、広い作業スペースを占有する必要もなく、しかも安全に立て起こし作業を行うことができる。
そして、以上のような作業によって立て起こした大型木質パネル１を、建物Ａの所定の設置位置に吊り込むようにするので、建物Ａの、特に壁体の施工効率をも向上させることが可能となる。
【図面の簡単な説明】
【００５２】
【図１】大型木質パネルを設置する建物を示す正面図である。
【図２】大型木質パネルの長辺部を吊り上げたことを示す説明図である。
【図３】大型木質パネルを回転させることを示す説明図である。
【図４】大型木質パネルを立て起こすことを示す説明図である。
【図５】第１および第２の吊り込み装置を示す正面図である。
【図６】吊り治具を示す斜視図である。
【図７】緩衝材を示す平面図である。
【符号の説明】
【００５３】
Ａ  建物
Ｋ  クレーン装置
１  大型木質パネル
２  主巻ワイヤ
３  補巻ワイヤ
４  第１の吊り込み装置
５  第２の吊り込み装置
【図１】
2006144234.tif 000003
【図２】
2006144234.tif 000004
【図３】
2006144234.tif 000005
【図４】
2006144234.tif 000006
【図５】
2006144234.tif 000007
【図６】
2006144234.tif 000008
【図７】
2006144234.tif 000009